(57)【要約】【課題】水生生物を小分けしあるいは個別に管理の行き届いた飼育を可能にするコンパクトな飼育装置であって、水生生物を収容する飼育容器を各別に挿脱することができるようにした飼育装置を提供する。【解決手段】保持体１と、水生生物を収容する飼育容器３とよりなり、該保持体には開口した収納室４を備えさせ、該飼育容器を該収納室に挿脱自在に保持させたことを特徴とする水生生物の飼育装置。保持体１と、水生生物を収容する複数の飼育容器３とよりなり、該保持体には開口した複数の収納室４を備えさせ、各飼育容器を各収納室に各別に挿脱自在に保持させたことを特徴とする水生生物の飼育装置。【選択図】図１
2009044979.tif 000002
【特許請求の範囲】
【請求項１】
保持体と、水生生物を収容する飼育容器とよりなり、
該保持体には開口した収納室を備えさせ、該飼育容器を該収納室に挿脱自在に保持させたことを特徴とする水生生物の飼育装置。
【請求項２】
保持体と、水生生物を収容する複数の飼育容器とよりなり、
該保持体には開口した複数の収納室を備えさせ、各飼育容器を各収納室に各別に挿脱自在に保持させたことを特徴とする水生生物の飼育装置。
【請求項３】
前記飼育容器内に飼育水を注水する注水手段と、該飼育容器内の飼育水を該飼育容器外へ排水する排水手段とを備えていることを特徴とする請求項１又は２に記載の水生生物の飼育装置。
【請求項４】
前記各飼育容器内に飼育水を各別に注水する注水手段と、前記各飼育容器内の飼育水を該飼育容器外へ各別に排水する排水手段とを備えていることを特徴とする請求項２に記載の水生生物の飼育装置。
【請求項５】
前記飼育容器における一つの飼育容器内の飼育水を他の飼育容器内に注水又は排水する注水手段又は排水手段を備えていることを特徴とする請求項２に記載の水生生物の飼育装置。
【請求項６】
前記飼育容器内を通気する通気手段を備えていることを特徴とする請求項１〜５のいずれかに記載の水生生物の飼育装置。
【請求項７】
前記飼育水は表層海水、海洋深層水又は淡水であり、該飼育水の水温調節手段を備えていることを特徴とする請求項３〜６のいずれかに記載の水生生物の飼育装置。
【請求項８】
前記水生生物は底生生物であることを特徴とする請求項１〜７のいずれかに記載の水生生物の飼育装置。
【請求項９】
前記水生生物は有用水産生物であることを特徴とする請求項１〜８のいずれかに記載の水生生物の飼育装置。
【請求項１０】
前記底生生物は甲殻類であることを特徴とする請求項８に記載の水生生物の飼育装置。
【発明の詳細な説明】
【技術分野】
【０００１】
本発明は、水生生物の飼育装置に関するものであり、特に、保持体に挿脱自在に保持させた引出し状の飼育容器を備えてなる水生生物の飼育装置に係るものである。
【背景技術】
【０００２】
水生生物の飼育は、産業上、研究上、教育上等、様々な分野において重要な技術である。生物を飼育する上で、共食い、闘争等の個体間関係や、病気の感染等は飼育生残率を低下させる大きな原因であった。さらに、生残率の低下ばかりではなく体の一部の損傷による商品価値の低減も大きな問題であった。さらには、近年はトレースアビリティーの実践等、飼育対象生物の履歴の把握が必要となっている。これらのことは、水生生物を小分けしあるいは個別に管理の行き届いた飼育をすることにより解決すると考えられるが、多数の生物を小分けしあるいは個別に管理の行き届いた飼育をするためには、飼育に必要なスペースが大幅に増大するという大きな課題があった。
【０００３】
実用新案登録第３０６０３０４号公報は、個別化飼育水槽（以下「従来の個別化飼育水槽」という。）を開示している。
【０００４】
従来の個別化飼育水槽は、それぞれ上端を開口した多数の小箱を上端を開口した複数の水槽に内設し、該水槽を上下方向に積み重ねてなるものである。
【特許文献１】実用新案登録第３０６０３０４号公報
【発明の開示】
【発明が解決しようとする課題】
【０００５】
従来の個別化飼育水槽は、水生生物を小分けした状態での飼育を可能とし、かつ、飼育スペースを圧縮することができるものである。
【０００６】
しかしながら、従来の個別化飼育水槽においては、上端を開口した複数の水槽を上下方向に積み重ねてなるものであるため、下段の水槽を取り出すためには上段の水槽を取り除かなければならないという問題がある。
【０００７】
本発明は、従来の個別化飼育水槽における上述の如き問題を解消し、水生生物を小分けしあるいは個別に管理の行き届いた飼育を可能にするコンパクトな飼育装置であって、水生生物を収容する飼育容器を各別に挿脱することができるようにした飼育装置を提供しようとしてなされたものである。
【課題を解決するための手段】
【０００８】
上記課題を解決するために、本発明は下記の水生生物の飼育装置を提供するものである。
【０００９】
（１）保持体と、水生生物を収容する飼育容器とよりなり、
該保持体には開口した収納室を備えさせ、該飼育容器を該収納室に挿脱自在に保持させたことを特徴とする水生生物の飼育装置（請求項１）。
【００１０】
（２）保持体と、水生生物を収容する複数の飼育容器とよりなり、
該保持体には開口した複数の収納室を備えさせ、各飼育容器を各収納室に各別に挿脱自在に保持させたことを特徴とする水生生物の飼育装置（請求項２）。
【００１１】
（３）前記飼育容器内に飼育水を注水する注水手段と、該飼育容器内の飼育水を該飼育容器外へ排水する排水手段とを備えている水生生物の飼育装置（請求項３）。
【００１２】
（４）前記各飼育容器内に飼育水を各別に注水する注水手段と、前記各飼育容器内の飼育水を該飼育容器外へ各別に排水する排水手段とを備えている水生生物の飼育装置（請求項４）。
【００１３】
（５）前記飼育容器における一つの飼育容器内の飼育水を他の飼育容器内に注水又は排水する注水手段又は排水手段を備えている水生生物の飼育装置（請求項５）。
【００１４】
（６）前記飼育容器内を通気する通気手段を備えている水生生物の飼育装置（請求項６）。
【００１５】
（７）前記飼育水は表層海水、海洋深層水又は淡水であり、該飼育水の水温調節手段を備えている水生生物の飼育装置（請求項７）。
【００１６】
（８）前記水生生物は底生生物である（請求項８）。
【００１７】
（９）前記水生生物は有用水産生物である（請求項９）。
【００１８】
（１０）前記底生生物は甲殻類である（請求項１０）。
【発明の効果】
【００１９】
［請求項１の発明］
水生生物を収容する飼育容器は、保持体の収納室に挿脱自在に保持されているため、該飼育容器はいわば引出しの如く使用することができる。すなわち、収納されている水生生物を取り出し若しくは交換することができる状態まで飼育容器を収納室から引き出し、該飼育容器を収納室から引き抜き、該飼育容器を他の飼育容器と交換し、該飼育容器を保持体の収納室内に挿入することができる。
【００２０】
［請求項２の発明］
この飼育装置は、保持体に備えさせた複数の収納室にそれぞれ飼育容器を各別に挿脱自在に保持させているため、保持体の収納室を立体的又は平面的に配設することにより、飼育スペースを圧縮することができる。
【００２１】
各飼育容器内に水生生物を各別に収納することにより、水生生物を小分けしあるいは個別に管理の行き届いた飼育を行うことが可能となる。したがって、水生生物間の共食い、闘争等の個体間関係や、病気の感染等を低減することができる。その結果、水生生物の飼育生残率を高め、その商品価値を向上させることができるという実用的効果が発揮される。
【００２２】
この飼育装置は、飼育管理が容易な小分けあるいは個体別飼育装置であるため、飼育対象生物の履歴の把握が容易となり、トレースアビリティーの実践が可能となる。
【００２３】
［請求項３の発明］
注水手段と排水手段とにより、各飼育容器内を良好な環境状態に保持することができる。
【００２４】
［請求項４の発明］
各飼育容器内に飼育水を各別に注水する注水手段と、各飼育容器内の飼育水を該飼育容器外へ各別に排水する排水手段とを備えているため、各飼育容器内の飼育環境が清浄化される。
【００２５】
［請求項５の発明］
一つの飼育容器内の飼育水を他の飼育容器内に注水又は排水する注水手段又は排水手段を備えているため、飼育水を節減し、その使用量の効率化を図ることができる。
【００２６】
［請求項６の発明］
飼育容器内を通気する通気手段を備えているため、飼育容器内が良好な環境状態に保持される。
【００２７】
［請求項７の発明］
飼育水として表層海水、海洋深層水又は淡水の使用が可能であり、該飼育水の水温調節手段を備えているため、多種類の飼育条件を設定することができ、多種類の水生生物を飼育することができる。
【００２８】
［請求項８の発明］
飼育される水生生物は、遊泳生活が少ない貝類、甲殻類、棘皮動物等の底生生物であるため、飼育に広いスペースを必要とせず、より効率的な飼育が可能となる。
【００２９】
［請求項９の発明］
飼育される水生生物は、有用水産生物であるため、飼育容器を有用水産生物ごとに識別することにより、該有用水産生物の履歴を把握し、トレースアビリティーを実践することが一層有意義なものとなる。
【００３０】
［請求項１０の発明］
飼育される底生生物は、共食いや闘争等の個体間関係が顕著なスキャンピ類、ロブスター類、イセエビ類、ガザミ類等の甲殻類であるため、このような甲殻類を各別に飼育することにより、飼育生残率を向上させることができるだけでなく、体の一部の損傷による商品価値の低減を防除することもできる。
【発明を実施するための最良の形態】
【００３１】
本発明による水生生物の飼育装置は、保持体１と、水生生物２を収容する飼育容器３とよりなる。
【００３２】
保持体１には開口した収納室４を備えさせる。飼育容器３は、好ましくは、上端３ａを開口するが、該飼育容器３の上端３ａ等に開閉蓋（図示せず。）を備えさせても差し支えない。該飼育容器３は、収納室４に挿脱自在に保持させる。
【００３３】
本発明による水生生物の飼育装置は、好ましくは、保持体１と、水生生物２を収容する複数の飼育容器３とよりなる。
【００３４】
すなわち、保持体１には、開口した複数の収納室４を備えさせ、各飼育容器３を各収納室４に各別に挿脱自在に保持させる。この場合にも、各飼育容器３は、好ましくは、上端３ａを開口するが、各飼育容器３の上端３ａ等に開閉蓋（図示せず。）を備えさせても差し支えない。
【００３５】
保持体１における複数の収納室４は、立体的又は平面的に配設する。すなわち、保持体１における複数の収納室４は、上下方向又は水平方向に配設する。
【００３６】
保持体１における複数の収納室４は、好ましくは、立体的ないし上下方向に配設する。立体的ないし上下方向に配設した収納室４に飼育容器３を挿脱自在に保持させることにより、飼育スペースの圧縮と、管理の行き届いた飼育とが可能となる。すなわち、限られた面積においても、飼育収容量を増加させることが可能である。
【００３７】
飼育容器３は、収納室４に対し好ましくは水平方向に挿脱自在とするが、収納室４に対し傾斜した方向に挿脱自在であってもよい。
【００３８】
保持体１と飼育容器３は、軽量かつ強固であって耐水性に優れた材質、例えばポリカーボネート、ポリスチレン、ポリ塩化ビニル、ポリエチレン、ボリプロピレン等により形成される。
【００３９】
飼育容器３内を良好な環境状態に保持するために、飼育容器３内に飼育水を注水（５）する注水手段６と、該飼育容器３内の飼育水を該飼育容器３外へ排水（７）する排水手段８とを備えさせる。
【００４０】
すなわち、注水手段６の注水管９を介して飼育水が飼育容器３内に注水（５）され、飼育容器３内の飼育水が排水手段８の排水口１０に移動（１１）し、飼育容器３外へ排水（７）される。
【００４１】
飼育環境の清浄化を図る場合には、各飼育容器３内に飼育水を各別に注水する注水手段６と、各飼育容器３内の飼育水を該飼育容器３外へ各別に排水する排水手段８とを備えさせる。
【００４２】
すなわち、注水手段６の注水管９を介して飼育水が各飼育容器３内に各別に注水（５）され、飼育容器３内の飼育水が排水手段８の排水口１０に移動（１１）し、飼育容器３外へ各別に排水（７）される。
【００４３】
飼育水使用量の効率化を図る場合には、一つの飼育容器３内の飼育水を他の飼育容器３内に注水又は排水する注水手段６又は排水手段８を備えさせる。
【００４４】
すなわち、一つの飼育容器３内を通過した飼育水が注水手段６により他の飼育容器３内に注水（１２）され、あるいは、一つの飼育容器３内の飼育水が排水手段８の排水口１０に移動（１１）し、他の飼育容器内へ排水（１３）される。図５参照。
【００４５】
飼育容器３内を良好な環境状態に保持するために、飼育容器３内を通気する通気手段１４を備えさせる。
【００４６】
通気手段１４は、一例として、通気管１５を介して送入された気体１６（空気や酸素）を気泡分散器１７により気泡１８として各飼育容器３内に拡散するようにしてなるものである。図４、図５、図７参照。
【００４７】
飼育水としては、表層海水１９、海洋深層水２０又は淡水２１の使用が可能であり、好ましくは、飼育水の水温調節手段２２を備えさせる。図６、図８参照。
【００４８】
表層海水１９は、水深１００ｍ以浅の海水である。海洋深層水２０は、水深１００ｍ以深の海水である。
【００４９】
水温調節手段２２により水温調節された表層海水１９、海洋深層水２０又は淡水２１の飼育水を注水管２３を介して各飼育容器３に注水することにより、多種類の飼育条件を設定することができ、多種類の水生生物２を飼育することができる。
【００５０】
すなわち、養殖・蓄養用、実験・試験用、展示生物のバックヤード用など産業上、研究上、教育上等、様々な分野で飼育される世界の全ての水生生物２を飼育することができる。
【００５１】
本発明の水生生物の飼育装置により飼育することができる水生生物としては、例えば、メダカ等の魚類やカメ等の爬虫類やカエル・イモリ等の両生類を含む脊椎動物、ホヤ等の原索動物、ウニ・ナマコ等の棘皮動物、エビ・カニ・昆虫等の節足動物、ゴカイ・イソメ等の環形動物、貝類・イカ・タコ等の軟体動物、クラゲ・イソギンチャク・サンゴ等の腔腸動物、カイメン等の海綿動物、さらには、らん藻・緑藻類・渇藻類・紅藻類等の海藻や、アマモ等の海草、イネ等の植物、ゾウリムシ・ワムシ等の単細胞生物が挙げられる。
【００５２】
本発明の飼育装置により飼育することができる水生生物は、好ましくは、底生生物である。
【００５３】
遊泳生活が少ない貝類、甲殻類、棘皮動物等の底生生物は、飼育に広いスペースを必要とせず、より効率的な飼育が可能となる。
【００５４】
本発明の飼育装置により飼育することができる水生生物は、好ましくは、有用水産生物である。
【００５５】
飼育容器３を有用水産生物ごとに識別することにより、該有用水産生物の履歴を把握し、トレースアビリティーを実践することが可能となる。
【００５６】
本発明の飼育装置により飼育することができる底生生物は、好ましくは、甲殻類である。
【００５７】
甲殻類は、例えば、スキャンピ類、ロブスター類、イセエビ類、ガザミ類等である。共食い、闘争等の個体間関係が顕著な甲殻類を各別に飼育することにより、飼育生残率を向上させることができるだけでなく、体の一部の損傷による商品価値の低減を防除することもできる。
【図面の簡単な説明】
【００５８】
【図１】本発明による水生生物の飼育装置の一例を示す断面図である。
【図２】飼育容器の一例を示す斜視図である。
【図３】本発明による水生生物の飼育装置の別の一例を示す斜視図である。
【図４】飼育容器の別の一例を示す斜視図である。
【図５】注水手段と排水手段と通気手段とを概略的に示す断面図である。
【図６】本発明による水生生物の飼育装置の更に別の一例を示す斜視図である。
【図７】注水手段と排水手段と通気手段とを概略的に示す斜視図である。
【図８】本発明による水生生物の飼育装置の更に別の一例を示す斜視図である。
【符号の説明】
【００５９】
１  保持体
２  水生生物
３  飼育容器
３ａ  上端
４  収納室
５  注水
６  注水手段
７  排水
８  排水手段
９  注水管
１０  排水口
１１  移動
１２  注水
１３  排水
１４  通気手段
１５  通気管
１６  気体
１７  気泡分散器
１８  気泡
１９  表層海水
２０  海洋深層水
２１  淡水
２２  水温調節手段
２３  注水管
【図１】
2009044979.tif 000003
【図２】
2009044979.tif 000004
【図３】
2009044979.tif 000005
【図４】
2009044979.tif 000006
【図５】
2009044979.tif 000007
【図６】
2009044979.tif 000008
【図７】
2009044979.tif 000009
【図８】
2009044979.tif 000010